(57)【要約】【課題】符号化難易度が高い映像信号が連続して入力されても、一定期間当りの可変長符号化データの符号情報量である情報発生レートが指定の伝送レートを超えないように抑制することができる映像符号化伝送装置を得ることを目的とする。【解決手段】バッファ１０における可変長符号化データのデータ占有率が閾値Ｔｈ未満であれば、画素数変換部５により画素数が変換された最新の映像信号を符号化部９に出力し、バッファ１０における可変長符号化データのデータ占有率が閾値Ｔｈ以上であれば、リピート映像信号を符号化部９に出力する。【選択図】図１
2010213187.tif 000002
【特許請求の範囲】
【請求項１】
映像信号を入力して、上記映像信号の信号帯域を削減する信号帯域削減手段と、上記信号帯域削減手段により信号帯域が削減された映像信号の画素数を変換する画素数変換手段と、上記画素数変換手段により画素数が変換された映像信号をフレーム間符号化して、上記映像信号の符号化データを生成する符号化手段と、上記符号化手段から出力された符号化データを一時的に蓄積してから、上記符号化データを送出するデータ蓄積手段とを備えた映像符号化伝送装置において、上記データ蓄積手段における符号化データのデータ占有率に応じて、上記画素数変換手段により画素数が変換された最新の映像信号、または、前回出力している映像信号と同じ映像信号のいずれか一方を選択して上記符号化手段に出力する映像選択手段を設けたことを特徴とする映像符号化伝送装置。
【請求項２】
映像選択手段は、上記データ蓄積手段における符号化データのデータ占有率が閾値未満であれば、画素数変換手段により画素数が変換された最新フレームの映像信号をフレームメモリに格納するとともに、上記最新フレームの映像信号を符号化手段に出力し、上記データ蓄積手段における符号化データのデータ占有率が閾値以上であれば、上記フレームメモリに格納されている前フレームの映像信号を上記符号化手段に出力することを特徴とする請求項１記載の映像符号化伝送装置。
【請求項３】
画素数変換手段は、データ蓄積手段における符号化データのデータ占有率に応じて変換後の画素数を決定することを特徴とする請求項１または請求項２記載の映像符号化伝送装置。
【請求項４】
画素数変換手段は、データ蓄積手段における符号化データのデータ占有率が高いほど、変換後の画素数を小さな数に決定することを特徴とする請求項３記載の映像符号化伝送装置。
【発明の詳細な説明】
【技術分野】
【０００１】
この発明は、入力された映像信号を適用的に加工して圧縮符号化を行うことで、圧縮後の符号情報量である情報発生レートが指定の伝送レートを超えないようにする映像符号化伝送装置に関するものである。
【背景技術】
【０００２】
近年、映像及び音声の情報量を減らす方法として、種々の映像圧縮方法が提案されており、その代表的なものにＭＰＥＧ−２（Ｍｏｖｉｎｇ  Ｐｉｃｔｕｒｅ  Ｅｘｐｅｒｔｓ  Ｇｒｏｕｐ  Ｐｈａｓｅ  ２）と呼ばれる方式がある。
ＭＰＥＧ−２方式を用いて、映像及び音声の放送データを圧縮符号化し、地上波又は衛星波を用いて放送するデジタル放送システムが開始されている。
【０００３】
図４は以下の特許文献１に開示されている映像符号化伝送装置を示す構成図であり、図４の映像符号化伝送装置は、ＭＰＥＧ−２方式を用いて、映像信号を圧縮符号化している映像符号化伝送装置である。
以下、図４の映像符号化伝送装置の処理内容を説明する。
【０００４】
プリフィルタ１０２は、映像入力端子１０１が、例えば、ビデオテープレコーダ等の映像信号供給装置から出力された映像信号を入力すると、量子化レート制御部１０６から出力される周波数特性制御信号に応じた帯域制限処理を実施することで、その映像信号の高域成分を削減し、高域成分削減後の映像信号を帯域制限映像信号として画素数変換部１０３に出力する。
ここで、映像信号の高域成分は、当該映像の細かい部分を表現するものである。
したがって、映像信号の高域成分が削減されることにより、映像の細かい部分が省略されるが、高域成分が削減されても、映像全体に対する影響は少なく、映像信号の帯域幅が減少される。
【０００５】
画素数変換判定部１０７は、量子化レート制御部１０６から出力される周波数特性制御信号に応じて画素数制御信号を生成する。
画素数変換部１０３は、プリフィルタ１０２から帯域制限映像信号を受けると、その帯域制限映像信号の画素数を変換する処理を行う。
即ち、画素数変換部１０３は、画素数変換判定部１０７から出力された画素数制御信号に応じて、変換後の画素数である削減水平画素数Ｎを設定する。
そして、画素数変換部１０３は、映像入力端子１０１から入力された映像信号の水平方向の画素数（水平画素数）がＭであるとき、水平画素数Ｍ＞削減水平画素数Ｎであれば、プリフィルタ１０２から出力された帯域制限映像信号の画素数を削減水平画素数Ｎに削減する。
ここで、削減水平画素数Ｎは、映像信号の番組内容に応じて決定されるものであり、高画質を要求される番組であれば大きな数に設定され、高画質を要求されない番組であれば小さな数に設定される。
【０００６】
符号化部１０４は、画素数変換部１０３から画素数変換後の映像信号である画素数変換映像信号を受けると、その画素数変換映像信号に対するフレーム間符号化処理として、動き補償処理、離散コサイン変換処理（ＤＣＴ：Ｄｉｓｃｒｅｔｅ  Ｃｏｓｉｎｅ  Ｔｒａｎｓｆｏｒｍ）、量子化処理及び可変長符号化処理（ＶＬＣ：Ｖａｒｉａｂｌｅ  Ｌｅｎｇｔｈ  Ｃｏｄｉｎｇ）を実施することで、その画素数変換映像信号を圧縮して、その画素数変換映像信号の可変長符号化データをバッファ１０５に格納する。
このとき、符号化部１０４は、量子化レート制御部１０６から出力される量子化制御信号に応じて量子化処理における量子化レートを調整する。また、符号化部制御回路１０８から出力される符号化制御情報に応じて符号化タイミング及び動き補償処理における動きベクトル探索範囲を設定する。
【０００７】
ここで、映像信号における映像の動き量が多い場合や映像が複雑な場合、符号化部１０４から出力される可変長符号化データの符号情報量が増大する。
可変長符号化データの符号情報量が多い映像信号を「圧縮難易度が高い」と表現すると、かかる圧縮難易度は、映像信号の番組内容やシーンに応じて変動する。
このため、バッファ１０５における可変長符号化データのデータ占有量を基準にして、符号化部１０４における量子化処理の量子化値や、プリフィルタ１０２における帯域制限処理を制御することにより、一定期間（例えば、ＧＯＰ（Ｇｒｏｕｐ  Ｏｆ  Ｐｉｃｔｕｒｅｓ））当りの符号情報量を一定に制御している。
【０００８】
即ち、量子化レート制御部１０６は、バッファ１０５における可変長符号化データの蓄積状態を常に監視しており、その蓄積状態を可変長符号化データのデータ占有率として出力する。
そして、量子化レート制御部１０６は、可変長符号化データのデータ占有率に基づいて量子化制御信号及び周波数特性制御信号を生成して、その量子化制御信号を符号化部１０４に出力し、その周波数特性制御信号をプリフィルタ１０２に出力することにより、可変長符号化データの一定期間当りの符号情報量を一定に制御するようにしている。
【０００９】
しかし、映像符号化伝送装置では、プリフィルタ１０２による帯域削減幅が映像信号の圧縮難易度によって変動するのに対して、画素数変換部１０３による削減水平画素数Ｎが映像信号の番組内容に応じて決定される。
このため、画素数削減映像信号の削減水平画素数Ｎが、帯域制限映像信号の映像を表現するに必要な水平画素数を上回る場合が考えられる。
この場合、帯域制限映像信号の映像を表現するに必要な画素数以上の画素を符号化することになり、量子化処理における量子化値は上限まで上昇する。
このような映像信号の圧縮難易度が高い映像が連続すると、一定期間当りの符号情報量を一定に制御することができず、バッファ１０５における可変長符号化データのデータ占有率がＭＰＥＧ−２規格で定められた上限値を上回る状況が発生する。
【先行技術文献】
【特許文献】
【００１０】
【特許文献１】特開平１１−２３４６６８号公報（段落番号［００１２］、図１）
【発明の概要】
【発明が解決しようとする課題】
【００１１】
従来の映像符号化伝送装置は以上のように構成されているので、符号化部１０４から出力される可変長符号化データの符号情報量は、映像入力端子１０１から入力される映像信号の符号化難易度に左右され、符号化難易度が高い映像信号（例えば、高周波成分が多く含まれており、かつ、動きが激しい映像信号）が連続して入力された場合、可変長符号化データの一定期間当りの符号情報量が伝送レートによって決定される符号量を超えてしまうことがある。このとき、バッファ１０５の出力レートは一定であるため、１画面の可変長符号化データを送出する時間が増加し、その結果、映像受信側における可変長符号化データの復号が映像の表示時刻に間に合わず、映像異常が発生することがあるなどの課題があった。
【００１２】
この発明は上記のような課題を解決するためになされたもので、符号化難易度が高い映像信号が連続して入力されても、一定期間当りの可変長符号化データの符号情報量である情報発生レートが指定の伝送レートを超えないように抑制することができる映像符号化伝送装置を得ることを目的とする。
【課題を解決するための手段】
【００１３】
この発明に係る映像符号化伝送装置は、データ蓄積手段における符号化データのデータ占有率に応じて、画素数変換手段により画素数が変換された最新の映像信号、または、前回出力している映像信号と同じ映像信号のいずれか一方を選択して符号化手段に出力する映像選択手段を設けるようにしたものである。
【発明の効果】
【００１４】
この発明によれば、データ蓄積手段における符号化データのデータ占有率に応じて、画素数変換手段により画素数が変換された最新の映像信号、または、前回出力している映像信号と同じ映像信号のいずれか一方を選択して符号化手段に出力する映像選択手段を設けるように構成したので、符号化難易度が高い映像信号が連続して入力されても、一定期間当りの可変長符号化データの符号情報量である情報発生レートが指定の伝送レートを超えないように抑制することができる効果がある。
【図面の簡単な説明】
【００１５】
【図１】この発明の実施の形態１による映像符号化伝送装置を示す構成図である。
【図２】この発明の実施の形態１による映像符号化伝送装置のリピート映像変換部８を示す構成図である。
【図３】この発明の実施の形態２による映像符号化伝送装置を示す構成図である。
【図４】特許文献１に開示されている映像符号化伝送装置を示す構成図である。
【発明を実施するための形態】
【００１６】
実施の形態１．
図１はこの発明の実施の形態１による映像符号化伝送装置を示す構成図である。
図１において、映像入力端子１は例えばビデオテープレコーダ等の映像信号供給装置から出力された映像信号を入力する端子である。
量子化レート制御部２はバッファ１０における可変長符号化データの蓄積状態を監視して、そのバッファ１０における可変長符号化データのデータ占有率を計測し、その可変長符号化データのデータ占有率に基づいて量子化制御信号及び周波数特性制御信号を生成する処理を実施する。
【００１７】
プリフィルタ３は量子化レート制御部２から出力された周波数特性制御信号に応じた帯域制限処理を実施することで、映像入力端子１から入力された映像信号の信号帯域（例えば、映像信号の高域成分）を削減し、帯域削減後の映像信号を帯域制限映像信号として画素数変換部５に出力する処理を実施する。なお、プリフィルタ３は信号帯域削減手段を構成している。
画素数変換判定部４は量子化レート制御部２から出力された周波数特性制御信号に応じて画素数制御信号を生成する処理を実施する。
【００１８】
画素数変換部５は画素数変換判定部４から出力された画素数制御信号に応じて、変換後の画素数である削減水平画素数Ｎを設定し、プリフィルタ３から出力された帯域制限映像信号の画素数を削減水平画素数Ｎに変換し、画素数変換後の映像信号を画素数変換映像信号としてリピート映像変換部８に出力する処理を実施する。なお、画素数変換判定部４及び画素数変換部５から画素数変換手段が構成されている。
符号化部制御回路６は画素数変換判定部４から出力された画素数制御信号に応じて、符号化タイミングや、動き補償処理における動きベクトルの探索範囲を示す符号化制御情報を符号化部９に出力する処理を実施する。
【００１９】
リピート映像変換判定部７はバッファ１０における可変長符号化データの蓄積状態を監視して、そのバッファ１０における可変長符号化データのデータ占有率を計測し、そのデータ占有率が閾値Ｔｈ未満であれば、画素数変換部５から出力された最新の画素数変換映像信号の選択を指示する映像選択信号をリピート映像変換部８に出力し、そのデータ占有率が閾値Ｔｈ以上であれば、リピート映像信号（前回、符号化部９に出力している画素数変換映像信号と同じ画素数変換映像信号）の選択を指示する映像選択信号をリピート映像変換部８に出力する処理を実施する。
リピート映像変換部８はリピート映像変換判定部７から最新の画素数変換映像信号の選択を指示する映像選択信号が出力された場合、画素数変換部５から出力された最新の画素数変換映像信号を符号化部９に出力し、リピート映像変換判定部７からリピート映像信号の選択を指示する映像選択信号が出力された場合、リピート映像信号を符号化部９に出力する処理を実施する。
なお、リピート映像変換判定部７及びリピート映像変換部８から映像選択手段が構成されている。
【００２０】
符号化部９はリピート映像変換部８から出力された最新の画素数変換映像信号又はリピート映像信号をフレーム間符号化して、その画素数変換映像信号又はリピート映像信号の可変長符号化データを生成する処理を実施する。なお、符号化部９は符号化手段を構成している。
バッファ１０は符号化部９により生成された可変長符号化データを一時的に蓄積してから、一定の出力レートで当該可変長符号化データを送出する処理を実施する。なお、バッファ１０はデータ蓄積手段を構成している。
【００２１】
符号化部９のフレーム間差分器９ａはリピート映像変換部８から出力された最新の画素数変換映像信号又はリピート映像信号と動き補償部９ｉから出力された予測画像の画像信号との差分を求め、その差分を示す差分映像信号を出力する処理を実施する。
ＤＣＴ部９ｂはフレーム間差分器９ａから出力された差分映像信号にＤＣＴを施してＤＣＴ係数を量子化部９ｃに出力する処理を実施する。
【００２２】
量子化部９ｃは量子化レート制御部２から出力される量子化制御信号に応じた量子化値で、ＤＣＴ部９ｂから出力されたＤＣＴ係数を量子化することで量子化インデックスを算出する処理を実施する。
逆量子化部９ｄは量子化レート制御部２から出力される量子化制御信号に応じた量子化値で、量子化部９ｃにより算出された量子化インデックスを逆量子化することで上記ＤＣＴ係数を算出する処理を実施する。
逆ＤＣＴ部９ｅは逆量子化部９ｄにより算出されたＤＣＴ係数に逆ＤＣＴを施して上記差分映像信号を復号する処理を実施する。
【００２３】
加算器９ｆは逆ＤＣＴ部９ｅにより復号された差分映像信号と動き補償部９ｉから出力された予測画像の画像信号との和を求め、その和を示す画像参照信号を出力する処理を実施する。
フレームメモリ９ｇは加算器９ｆから出力された画像参照信号を格納するメモリである。
動きベクトル検出部９ｈはリピート映像変換部８から出力された最新の画素数変換映像信号又はリピート映像信号とフレームメモリ９ｇに格納されている画像参照信号との間で動きベクトルを検出する処理を実施する。
【００２４】
動き補償部９ｉは動きベクトル検出部９ｈにより検出された動きベクトルを用いて、フレームメモリ９ｇに格納されている画像参照信号の動き補償を実施することで予測画像の画像信号を生成する処理を実施する。
ＶＬＣ部９ｊは量子化部９ｃにより算出された量子化インデックスや動きベクトル検出部９ｈにより検出された動きベクトルなどを可変長符号化し、その可変長符号化データをバッファ１０に出力する処理を実施する。
【００２５】
図２はこの発明の実施の形態１による映像符号化伝送装置のリピート映像変換部８を示す構成図である。
図２において、フレームメモリ２１はリピート映像変換判定部７から最新の画素数変換映像信号の選択を指示する映像選択信号が出力された場合、画素数変換部５から出力された最新の画素数変換映像信号をリピート映像信号として、フレーム単位に格納するメモリである。
また、フレームメモリ２１はリピート映像変換判定部７からリピート映像信号の選択を指示する映像選択信号が出力された場合、画素数変換部５から出力された最新の画素数変換映像信号を格納せずに、前回格納したリピート映像信号を引き続き保持する。
【００２６】
セレクタ２２はリピート映像変換判定部７から最新の画素数変換映像信号の選択を指示する映像選択信号が出力された場合、画素数変換部５から出力された最新の画素数変換映像信号を選択して、その画素数変換映像信号を符号化部９に出力し、リピート映像変換判定部７からリピート映像信号の選択を指示する映像選択信号が出力された場合、フレームメモリ２１に格納されているリピート映像信号を選択して、そのリピート映像信号を符号化部９に出力する処理を実施する。
【００２７】
次に動作について説明する。
量子化レート制御部２は、バッファ１０における可変長符号化データの蓄積状態を常に監視することで、そのバッファ１０における可変長符号化データのデータ占有率を計測する。
量子化レート制御部２は、バッファ１０における可変長符号化データの一定期間当りの符号情報量を一定に制御するため、その可変長符号化データのデータ占有率に基づいて量子化制御信号及び周波数特性制御信号を生成する。
なお、量子化制御信号及び周波数特性制御信号の生成処理は、例えば、上記の特許文献１に開示されている方法を用いればよいので、詳細な説明を省略する。
【００２８】
プリフィルタ３は、量子化レート制御部２から周波数特性制御信号を受けると、その周波数特性制御信号に応じた帯域制限処理を実施することで、映像入力端子１から入力された映像信号の信号帯域を削減し、帯域削減後の映像信号を帯域制限映像信号として画素数変換部５に出力する。
例えば、その周波数特性制御信号が映像信号の高域成分に削減を指示する場合、映像入力端子１から入力された映像信号の高域成分を削減する。
映像信号の高域成分は、上述したように、映像の細かい部分を表現するものである。
したがって、映像信号の高域成分が削減されることにより、映像の細かい部分が省略されるが、高域成分が削減されても、映像全体に対する影響は少なく、映像信号の帯域幅が減少される。
【００２９】
リピート映像変換判定部７は、量子化レート制御部２と同様に、バッファ１０における可変長符号化データの蓄積状態を監視して、そのバッファ１０における可変長符号化データのデータ占有率を計測する。
符号化難易度が高い映像信号が連続して入力された場合、上述したように、可変長符号化データの一定期間当りの符号情報量が増加するので、バッファ１０における可変長符号化データのデータ占有率は高くなる。
一方、符号化難易度が高い映像信号が連続して入力されない場合には、可変長符号化データの一定期間当りの符号情報量が減少するので、バッファ１０における可変長符号化データのデータ占有率は低くなる。
【００３０】
リピート映像変換判定部７は、バッファ１０における可変長符号化データのデータ占有率と所定の閾値Ｔｈを比較し、そのデータ占有率が閾値Ｔｈ未満であれば、バッファ１０から１画面分の可変長符号化データが送出されるのに要する時間が短く、映像の表示時刻に間に合うように可変長符号化データが映像受信側に届くと考えられるので、画素数変換部５から出力された最新の画素数変換映像信号の選択を指示する映像選択信号をリピート映像変換部８に出力する。
一方、そのデータ占有率が閾値Ｔｈ以上であれば、バッファ１０から１画面分の可変長符号化データが送出されるのに要する時間が長く、映像の表示時刻に間に合うように可変長符号化データが映像受信側に届かない可能性が高いので、画素数変換部５から出力された最新の画素数変換映像信号ではなく、リピート映像信号の選択を指示する映像選択信号をリピート映像変換部８に出力する。
【００３１】
リピート映像変換部８は、リピート映像変換判定部７から最新の画素数変換映像信号の選択を指示する映像選択信号が出力された場合、画素数変換部５から出力された最新の画素数変換映像信号を符号化部９に出力し、リピート映像変換判定部７からリピート映像信号の選択を指示する映像選択信号が出力された場合、リピート映像信号を符号化部９に出力する。
即ち、リピート映像変換部８のフレームメモリ２１は、リピート映像変換判定部７から最新の画素数変換映像信号の選択を指示する映像選択信号が出力された場合、画素数変換部５から出力された最新の画素数変換映像信号をリピート映像信号として格納し、そのリピート映像信号を１フレームだけ遅延してからセレクタ２２に出力する。
一方、リピート映像変換判定部７からリピート映像信号の選択を指示する映像選択信号が出力された場合、画素数変換部５から出力された最新の画素数変換映像信号を格納せずに、前回格納したリピート映像信号を引き続き保持し、そのリピート映像信号をセレクタ２２に出力する。
【００３２】
セレクタ２２は、リピート映像変換判定部７から最新の画素数変換映像信号の選択を指示する映像選択信号が出力された場合、画素数変換部５から出力された最新の画素数変換映像信号を選択して、その画素数変換映像信号を符号化部９に出力する。
一方、リピート映像変換判定部７からリピート映像信号の選択を指示する映像選択信号が出力された場合、フレームメモリ２１に格納されているリピート映像信号を選択して、そのリピート映像信号を符号化部９に出力する。
【００３３】
符号化部９は、リピート映像変換部８から最新の画素数変換映像信号又はリピート映像信号を受けると、その最新の画素数変換映像信号又はリピート映像信号をフレーム間符号化することで、その画素数変換映像信号又はリピート映像信号の可変長符号化データを生成する。
このとき、符号化部９は、フレーム間差分器９ａを実装しており、リピート映像変換部８から出力された映像信号が、前回の映像信号と同じリピート映像信号であれば、フレーム間差分器９ａから出力される差分映像信号がゼロになるため、その差分映像信号に係る可変長符号化データの符号情報量がゼロになる。
この場合、ＶＬＣ部９ｊは、当該差分映像信号を符号化するのではなく、前フレームのリピートを示すフラグ情報のみを符号化すればよいので、可変長符号化データの符号情報量を最小限に抑えることができる。
このため、バッファ１０における可変長符号化データのデータ占有率が減少し、一定期間当りの可変長符号化データの符号情報量である情報発生レートが、指定の伝送レートを超えないように制御することができる。
【００３４】
以上で明らかなように、この実施の形態１によれば、バッファ１０における可変長符号化データのデータ占有率が閾値Ｔｈ未満であれば、画素数変換部５により画素数が変換された最新の映像信号を符号化部９に出力し、バッファ１０における可変長符号化データのデータ占有率が閾値Ｔｈ以上であれば、リピート映像信号を符号化部９に出力するように構成したので、符号化難易度が高い映像信号が連続して入力されても、一定期間当りの可変長符号化データの符号情報量である情報発生レートが指定の伝送レートを超えないように抑制することができるようになり、その結果、映像受信側における可変長符号化データの復号が映像の表示時刻に間に合わないことによる映像異常の発生を防止することができる効果を奏する。
【００３５】
なお、この実施の形態１では、バッファ１０における可変長符号化データのデータ占有率が閾値Ｔｈ以上である場合、リピート映像変換部８が前回出力した映像信号と同じ映像信号をリピートする例を示したが、予め用意されている静止画の映像信号を符号化部９に出力するようにしてもよい。
【００３６】
実施の形態２．
図３はこの発明の実施の形態２による映像符号化伝送装置を示す構成図であり、図において、図１と同一符号は同一又は相当部分を示すので説明を省略する。
適応画素数変換判定部１１はバッファ１０における可変長符号化データの蓄積状態を監視して、そのバッファ１０における可変長符号化データのデータ占有率を計測し、そのデータ占有率に応じて適応画素数変換部１２における変換後の画素数である削減水平画素数Ｎを決定し、その削減水平画素数Ｎを示す画素数制御信号を出力する処理を実施する。
適応画素数変換部１２はプリフィルタ３から出力された帯域制限映像信号の画素数を適応画素数変換判定部１１から出力された画素数制御信号が示す削減水平画素数Ｎに変換し、画素数変換後の映像信号を画素数変換映像信号としてリピート映像変換部８に出力する処理を実施する。
なお、適応画素数変換判定部１１及び適応画素数変換部１２から画素数変換手段が構成されている。
【００３７】
次に動作について説明する。
適応画素数変換判定部１１は、バッファ１０における可変長符号化データの蓄積状態を常に監視することで、そのバッファ１０における可変長符号化データのデータ占有率を計測する。
適応画素数変換判定部１１は、バッファ１０における可変長符号化データのデータ占有率が高いほど、映像信号の符号化難易度が高くなるので、そのデータ占有率が高いほど、削減水平画素数Ｎを小さな数に決定し、その削減水平画素数Ｎを示す画素数制御信号を出力する。
【００３８】
適応画素数変換部１２は、プリフィルタ３から水平画素数Ｍ（Ｍ＞Ｎ）の帯域制限映像信号を受けると、その帯域制限映像信号の画素数を適応画素数変換判定部１１から出力された画素数制御信号が示す削減水平画素数Ｎに変換することで画素数を削減する。
適応画素数変換部１２は、画素数変換後の映像信号を画素数変換映像信号としてリピート映像変換部８に出力する。
【００３９】
符号化部制御回路６は、符号化部９が符号化処理を実施しているときに、映像信号の水平方向の画素数を変更することで、映像受信側で受信される映像にショックが現れないようにするために、符号化部９が符号化パラメータを変更するタイミングと、符号化部９に出力する映像信号の水平方向の画素数が変更されるタイミングとが一致するように、符号化部９に水平方向の画素数を設定する。
【００４０】
ここで、デジタル放送におけるＨＤＴＶ放送において、帯域制限映像信号の水平画素数Ｍを削減水平画素数Ｎに変換することで、画素数を「１９２０」から「１４４０」に変更する例を説明する。
ＭＰＥＧ−２規格に従って構成される符号化部９では、ＤＣＴ部９ｂが水平１６画素／垂直１６ライン単位のＭＢ（Ｍａｃｒｏ  Ｂｌｏｃｋ）単位にＤＣＴ処理を実施する。
水平画素数の削減は、１画面当りに符号化するデータ量の削減に直結し、この例では、１／４が削減される。
このため、バッファ１０における可変長符号化データのデータ占有率は減少し、一定期間当りの可変長符号化データの符号情報量である情報発生レートが伝送レートを超えないように制御することができる。
【００４１】
なお、適応画素数変換判定部１１により決定される削減水平画素数Ｎは、使用されるアプリケーションによって決定することができる値が決まっている。
例えば、デジタル放送におけるＨＤＴＶ放送の水平画素数は、「１９２０」と「１４４０」の２値しか有しないため、初期パラメータが「１４４０」で動作させる場合は適用することができない。
【符号の説明】
【００４２】
１  映像入力端子、２  量子化レート制御部、３  プリフィルタ（信号帯域削減手段）、４  画素数変換判定部（画素数変換手段）、５  画素数変換部（画素数変換手段）、６  符号化部制御回路、７  リピート映像変換判定部（映像選択手段）、８  リピート映像変換部（映像選択手段）、９  符号化部（符号化手段）、９ａ  フレーム間差分器、９ｂ  ＤＣＴ部、９ｃ  量子化部、９ｄ  逆量子化部、９ｅ  逆ＤＣＴ部、９ｆ  加算器、９ｇ  フレームメモリ、９ｈ  動きベクトル検出部、９ｉ  動き補償部、９ｊ  ＶＬＣ部、１０  バッファ（データ蓄積手段）、１１  適応画素数変換判定部（画素数変換手段）、１２  適応画素数変換部（画素数変換手段）、２１  フレームメモリ、２２  セレクタ、１０１  映像入力端子、１０２  プリフィルタ、１０３  画素数変換部、１０４  符号化部、１０５  バッファ、１０６  量子化レート制御部、１０７  画素数変換判定部、１０８  符号化部制御回路。
【図１】
2010213187.tif 000003
【図２】
2010213187.tif 000004
【図３】
2010213187.tif 000005
【図４】
2010213187.tif 000006